(57)【要約】【課題】キャタピラ型外装材で外装したワイヤハーネスを余長吸収ケースの１つの出入口に固定する構造を改善し、ワイヤハーネスの曲げＲを保持する。【解決手段】自動車のスライドシート用のワイヤハーネスをキャタピラ型外装材に挿通した状態で余長吸収ケース内に屈曲させて移動自在に挿通し、該余長吸収ケースの１つの出入口の四角枠状の先端開口の外周側面又は底面外周寄りから段差をつけてテープ巻き片を突設し、該テープ巻き片に前記キャタピラ型外装材の先端から引き出された前記ワイヤハーネスを粘着テープで巻き付けて固着し、かつ、前記余長吸収ケースの前記出入口に、断面凹形状の本体と、該本体の上面開口を開閉する蓋を片開き状に薄肉ヒンジを介して設け、該蓋または前記本体に設けた係止突起を前記キャタピラ型外装材に開口している穴に差し込んで固定する構成としている。【選択図】図５
2015186988.tif 000002
【特許請求の範囲】
【請求項１】
自動車のスライドシート用のワイヤハーネスをキャタピラ型外装材に挿通した状態で余長吸収ケース内に屈曲させて移動自在に挿通し、該余長吸収ケースの１つの出入口の四角枠状の先端開口の外周側面又は底面外周寄りから段差をつけてテープ巻き片を突設し、該テープ巻き片に前記キャタピラ型外装材の先端から引き出された前記ワイヤハーネスを粘着テープで巻き付けて固着し、かつ、
前記テープ巻き片を突設した前記出入口を囲む周壁を、断面凹形状の本体と、該本体に薄肉ヒンジを介して片開き状に連結して該本体の上面開口を開閉する蓋とで形成し、該蓋又は前記本体の底面に設けた係止突起を前記キャタピラ型外装材に開口している穴に差し込んで固定する構成としているワイヤハーネスの配索構造。
【請求項２】
前記キャタピラ型外装材は、長さ方向に延在すると共に幅方向に間隔をあけて設けた複数本の折曲ラインを折り曲げて四角筒型とし、長さ方向に間隔をあけて幅方向に切り込みを入れて四角筒型の３辺を分離させると共に１辺を連続させ、前記一方側は屈曲するが他方側は屈曲しない状態で連結し、かつ、幅方向の両側縁の一方側に突設した係止突片を他方側に設けた係止穴に挿入係止して四角筒状を保持し、さらに、前記幅方向の各切り込みの先端に亀裂防止用の穴をあけており、該穴を前記余長吸収ケースの蓋に設けた係止突起を差し込む前記穴としている請求項１に記載のワイヤハーネスの配索構造。
【請求項３】
前記係止突起を前記蓋の内面に複数突設し、前記本体に収容した前記キャタピラ型外装材の上面に開口している前記穴に前記係止突起を差し込んでいる請求項１または請求項２に記載のワイヤハーネスの配索構造。
【請求項４】
前記係止突起を前記本体の底面に突設し、前記本体に収容した前記キャタピラ型外装材の上下に対向して開口している前記穴に前記係止突起を通し、該キャタピラ型外装材に前記係止突起を貫通させている請求項１または請求項２に記載のワイヤハーネスの配索構造。
【請求項５】
前記係止突起は１本の長い棒状の係止突起とし、該係止突起の先端外周に返り部を突設する一方、前記蓋の内面に該係止突起の先端を嵌合する凹部を設けている請求項４に記載のワイヤハーネスの配索構造。
【請求項６】
前記余長吸収ケースは、樹脂製のＪ形状またはＵ形状の浅底の本体と、該本体にワイヤハーネスを通した前記キャタピラ型外装材を貫通させた後に上面開口を閉鎖する蓋とからなり、長さ方向の一端側に湾曲部を備え、長さ方向の先端に前記出入口を設けており、
前記キャタピラ型外装材の上下面を前記本体の底面と前記蓋の内面とに摺動自在に接触させると共に該キャタピラ型外装材の一側面を本体の外周面に摺動自在に接触させる構成としている請求項１乃至請求項５のいずれか１項に記載のワイヤハーネスの配索構造。
【発明の詳細な説明】
【技術分野】
【０００１】
本発明はワイヤハーネスの配索構造に関し、詳しくは、自動車に搭載されるスライドシート用として好適に用いられ、ワイヤハーネスをキャタピラ型の外装材で外装して余長吸収ケース内に移動自在に収容すると共に、該余長吸収ケースの出口で固定するワイヤハーネスの配索構造に関するものである。
【背景技術】
【０００２】
自動車に搭載するシートには電動リクライニング装置やシートヒータなど種々の電装品が装備されており、これらの電装品に給電するために、車体フロア側からシートに給電用のワイヤハーネスが配索されている。スライドシートの場合には、ワイヤハーネスをシートのスライド動作に追従させる必要があり、そのためワイヤハーネスに余長部を持たせて配索している。
【０００３】
従来、本出願人は特開２０１３−４９４０２号公報において、図１０に示すように、ワイヤハーネス１００をキャタピラ型のプロテクタ１１０で外装して、余長吸収ケース内に移動自在に収容しているワイヤハーネス配索構造を提供している。
前記配索構造では、ワイヤハーネス１００を挿通したプロテクタ１１０を余長吸収ケースの出口から引き出し、この引き出したワイヤハーネス１００にクランプを取り付け、該クランプを車体フロアに固定している。
【０００４】
前記フロアにワイヤハーネスに取り付けたクランプを用いて固定する方法に代えて、図１１に示すように、余長吸収ケース１２０の出口にテープ巻き片１２１を設け、粘着テープ１３０を用いて固着している場合が多い。具体的には、余長吸収ケース１２０の出口先端にワイヤハーネスに外装するプロテクタ１１０の出口１１０ｐを合わせ、余長吸収ケース１２０の出口を囲む外周に粘着テープ１３０を巻き付けた後に、該プロテクタ１１０の出口先端から引き出されるワイヤハーネス１００とテープ巻き片１２１とに粘着テープ１３０を巻き付け、粘着テープ１３０を所謂テープ巻き落とし処理して連続的に巻き付けて固着している場合が多い。
【０００５】
なお、前記図１１に示す例では、余長吸収ケース１２０をフロアに固定しているため、余長吸収ケース内に移動自在に挿通するワイヤハーネス１００に外装したキャタピラ型のプロテクタ１１０を余長吸収ケース１２０の出口側で固定している。これに対して、余長吸収ケースをスライドシートに固定している場合、該余長吸収ケースの入口側でワイヤハーネスに外装したキャタピラ型のプロテクタを固定している。
即ち、キャタピラ型のプロテクタにワイヤハーネスを挿通した状態で、余長吸収ケースの出口または入口のいずれか一方にプロテクタとワイヤハーネスとを固定している。
【先行技術文献】
【特許文献】
【０００６】
【特許文献１】特開２０１３−４９４０２号公報
【発明の概要】
【発明が解決しようとする課題】
【０００７】
前記のように、キャタピラ型のプロテクタと、該プロテクタに挿通したワイヤハーネスとを余長吸収ケースの出口または入口に突設したテープ巻き片にテープ巻き固定する場合、図１１（Ｂ）に示すように、四角枠状のプロテクタ１１０の先端に巻き付けた粘着テープ１３０を外径が小さくなる断面円形のワイヤハーネス１００の外周に巻き落とし処理して巻き付ける必要がある。
【０００８】
この巻き落とし処理時に、プロテクタ１１０の外周に強い力で粘着テープ１３０が巻き付けられてプロテクタ１１０の外形が四角枠状から潰れ、テープ巻き作業に手数がかかると共に品質が低下する恐れがある。かつ、粘着テープ１３０で連続してプロテクタ１１０の外周からワイヤハーネス１００の外周に巻き落とし処理して巻き付けると、プロテクタ１１０は余長吸収ケース１２０の外周面に拘束される。一方、ワイヤハーネス１００は余長吸収ケース１２０の外周面に拘束されず、プロテクタ１１０内でワイヤハーネス１００の軌道が図１２に示すように、プロテクタ１１０の外周面に沿って大きな曲げＲで曲がらずに、曲げＲが小さくなり屈曲性が悪くなる問題がある。
【０００９】
本発明は前記問題に鑑みてなされたもので、余長吸収ケース内にキャタピラ型外装材でワイヤハーネスを外装して貫通しているワイヤハーネスの配索構造において、前記余長吸収ケースの出口または入口に、前記キャタピラ型外装材とワイヤハーネスを余長吸収ケース内での屈曲性を損なうことなくスムーズに固定できるようにすることを課題としている。
【課題を解決するための手段】
【００１０】
前記課題を解決するため、本発明は、自動車のスライドシート用のワイヤハーネスをキャタピラ型外装材に挿通した状態で余長吸収ケース内に屈曲させて移動自在に挿通し、該余長吸収ケースの１つの出入口の四角枠状の先端開口の外周側面又は底面外周寄りから段差をつけてテープ巻き片を突設し、該テープ巻き片に前記キャタピラ型外装材の先端から引き出された前記ワイヤハーネスを粘着テープで巻き付けて固着し、かつ、
前記テープ巻き片を突設した前記出入口を囲む周壁を、断面凹形状の本体と、該本体に薄肉ヒンジを介して片開き状に連結して該本体の上面開口を開閉する蓋とで形成し、該蓋又は前記本体の底面に設けた係止突起を前記キャタピラ型外装材に開口している穴に差し込んで固定する構成としているワイヤハーネスの配索構造を提供している。
【００１１】
前記のように、余長吸収ケースのワイヤハーネス出入口となる長さ方向両端の開口のうちの一方のテープ巻き片を突設した開口を囲む周壁を断面凹形状の本体と蓋とから構成し、該蓋の内面または本体の底面から係止突起を突設し、ワイヤハーネスを挿通しているキャタピラ型外装材の穴に差し込んで簡単に固定できるようにしている。かつ、該キャタピラ型外装材の固定とは別に、余長吸収ケースの外周側に突設した前記テープ巻き片にワイヤハーネスを粘着テープで巻き付けて固着しているため、ワイヤハーネスを余長吸収ケースの外周側に拘束することができる。これにより、該余長吸収ケース内で外周壁に沿って移動する前記キャタピラ型外装材の内部で、ワイヤハーネスを外周側に沿わせて曲げＲを大きい状態に保持でき、ワイヤハーネスの屈曲性を向上させることができる。
【００１２】
前記キャタピラ型外装材は、長さ方向に延在すると共に幅方向に間隔をあけて設けた複数本の折曲ラインを折り曲げて四角筒型とし、かつ、長さ方向に間隔をあけて幅方向に切り込みを入れて四角筒型の３辺を分離させると共に１辺を連続させ、前記一方側は屈曲するが他方側は屈曲しない状態で連結し、かつ、幅方向の両側縁の一方側に突設した係止突片を他方側に設けた係止穴に挿入係止して四角筒状を保持し、さらに、前記幅方向の各切り込みの先端に亀裂防止用の穴をあけており、該穴を前記余長吸収ケースの蓋または本体底面に突設した前記係止突起を差し込む穴としている。
【００１３】
前記係止突起を前記蓋の内面に突設する場合、係止突起を複数突設し、前記本体に収容する前記キャタピラ型外装材の上面に開口している前記穴に前記係止突起を差し込むことが好ましい。
具体的には、前記余長吸収ケースの蓋に設ける係止突起を前記穴の間隔と同一の寸法をあけて２個設け、２本の係止突起をキャタピラ型外装材の隣接する２つの穴にそれぞれ差し込んで固定することが好ましい。このように、２個の係止突起をそれぞれ穴に差し込んで固定すると、キャタピラ型外装材を余長吸収ケースの本体と蓋に囲まれた断面四角状空間に安定姿勢で収容でき、移動時のガタつき発生を抑制できる。
【００１４】
前記係止突起を前記本体の底面に突設する場合、前記本体に収容した前記キャタピラ型外装材の上下に対向して開口している前記穴に前記係止突起を連続して通し、該キャタピラ型外装材に係止突起を貫通させることが好ましい。
【００１５】
具体的には、本体の底面に突設する係止突起は１本の棒状の係止突起とし、該係止突起の先端外周に返り部を突設する一方、前記蓋の内面に該係止突起の先端を嵌合する凹部を設けていることが好ましい。
細長い前記棒状の係止突起はキャタピラ型外装材に設けられている上下対向した穴に通して貫通させ、該係止突起の先端外周から若干突出させた前記返り部をキャタピラ型外装材の上面に係止し、かつ、前記蓋を閉じた時に、該係止突起の円弧状とする先端を前記凹部に嵌合して、係止突起を位置決め保持することが好ましい。
【００１６】
前記のように、係止突起をキャタピラ型外装材に貫通固定すると、キャタピラ型外装材が内部に通すワイヤハーネの反力により変形しても、係止突起がキャタピラ型外装材から外れることはない。
【００１７】
前記のように、余長吸収ケースの本体または蓋から突設した係止突起を挿入するキャタピラ型外装材の固定用の穴は、該キャタピラ型外装材に予め設けている亀裂防止用の穴を利用している。これにより、キャタピラ型外装材に固定用の穴を別に設ける必要はなくなる利点がある。なお、係止突起の挿入用の穴をキャタピラ型外装材の別の位置に設けてもよい。
【００１８】
前記余長吸収ケースは、樹脂製のＪ形状またはＵ形状の浅底の本体と、ワイヤハーネスを通したキャタピラ型外装材を前記本体に貫通させた後に上面開口を閉鎖する蓋とからなり、長さ方向の一端側に湾曲部を備え、長さ方向の両端に出入口となる開口を備え、
前記キャタピラ型外装材の上下面を前記本体の底面と前記蓋の裏面とに摺動自在に接触させると共に該キャタピラ型外装材の一側面を前記本体の外周面に摺動自在に接触させることが好ましい。
前記のように、余長吸収ケースの高さを前記四角筒型のキャタピラ型外装材の高さに相当させて、キャタピラ型外装材をガタツキなく、余長吸収ケース内を移動させることが好ましい。
【００１９】
前記スライドシート用ワイヤハーネスは、自動車に配索するフロアハーネスから分岐してスライドシートへ延在させ、スライドシート内のシートハーネスとコネクタ接続し、またはスライドシート内のシートハーネスをフロア側へ引き出して延在させ、フロアハーネスとコネクタ接続している。
【００２０】
前記フロアハーネスからスライドシート用ワイヤハーネスを分岐し、前記余長吸収ケースをフロアに固定し、該余長吸収ケースの出口に前記テープ巻き片および係止突起を設け、該余長吸収ケースの出口側でワイヤハーネスを粘着テープで固定すると共にキャタピラ型外装材を前記係止突起で別々に固定している。
または、前記余長吸収ケースをスライドシートに固定し、該余長吸収ケースの入口に前記テープ巻き片および係止突起を設け、該余長吸収ケースの入口側でワイヤハーネスを粘着テープで固定し、キャタピラ型外装材を係止突起で別々に固定している。
【００２１】
シートハーネスをフロア側に延在させスライドシート用ワイヤハーネスを形成する場合は、前記余長吸収ケースをスライドシートに固定し、該余長吸収ケースの入口に前記テープ巻き片および係止突起を設け、該余長吸収ケースの入口側でワイヤハーネスを粘着テープで固定し、キャタピラ型外装材を係止突起で別々に固定している。
【発明の効果】
【００２２】
前記のように、本発明では、ワイヤハーネスを挿通しているキャタピラ型外装材に設けられている穴に、余長吸収ケースの出入口に設けた蓋の内面または本体底面に突設した係止突起を差し込むだけで簡単に固定できると共に、該キャタピラ型外装材の固定とは別に、余長吸収ケースの前記出入口の外周面側から突設するテープ巻き片にワイヤハーネスを粘着テープを巻き付けて固着しているため、ワイヤハーネスを余長吸収ケースの外周側に拘束することができる。これにより、該余長吸収ケース内で外周壁に沿って移動する前記キャタピラ型外装材の内部でワイヤハーネスを外周側に沿わせて曲げＲを大きい状態に保持でき、ワイヤハーネスの屈曲性を向上させることができる。
【図面の簡単な説明】
【００２３】
【図１】本発明のワイヤハーネスの配索構造の第１実施形態のスライドシートを示す概略全体斜視図である。
【図２】図１の要部断面図である。
【図３】前記装置に用いる余長吸収ケースを示し、（Ａ）は分解斜視図、（Ｂ）は出入口部の平面図、（Ｃ）は（Ｂ）のＣ−Ｃ線断面図である。
【図４】ワイヤハーネスに外装するキャタピラ型外装材を示し、（Ａ）は斜視図、（Ｂ）は拡大展開図である。
【図５】前記余長吸収ケースにワイヤハーネス及びその外装材を固定する方法を示し、（Ａ）は余長吸収ケースの出入口部の斜視図、（Ｂ）は前記出入口にキャタピラ型外装材を収容した状態の斜視図、（Ｃ）は前記出入口に設けたテープ巻き片にワイヤハーネスを巻き付けた状態の正面図である。
【図６】（Ａ）（Ｂ）はスライドシートの前後移動時のワイヤハーネスの作動を示す説明図である。
【図７】第２実施形態を示し、（Ａ）は余長吸収ケースの出入口の部分の蓋を開いた状態の斜視図、（Ｂ）は前記出入口に外装材を収容した状態の正面図である。
【図８】前記第２実施形態の要部を示し、（Ａ）は平面図、（Ｂ）は（Ａ）のＢ−Ｂ線断面図、（Ｃ）は要部拡大断面図、（Ｄ）は作用説明図である。
【図９】第３実施形態を示し、（Ａ）は全体斜視図、（Ｂ）は余長吸収ケースに外装材を外装したワイヤハーネスを収容した状態を示す図面である。
【図１０】従来例を示す斜視図である。
【図１１】（Ａ）（Ｂ）は他の従来例を示す図面である。
【図１２】図１１の従来例の問題点を示す図面である。
【発明を実施するための形態】
【００２４】
以下、本発明の実施形態を図面を参照して説明する。
図１乃至図６に本発明の実施形態を示す。
図１に示すように、自動車に搭載するスライドシート１を車長方向の前後方向にスライドできるスライドシートとし、車室床材Ｆに敷設するシートレール２にスライドシート１のシート脚部に取り付けた車輪をスライド自在に取り付けている。
一方、自動車のフロアに沿って配索するフロアハーネス５０の幹線５０ａから分岐した枝線をスライドシート１へ延在させてスライドシート用のワイヤハーネス３として設けている。該ワイヤハーネス３をスライドシート１の内部に配索しているシートハーネス５５（図２に示す）とコネクタ接続している。
【００２５】
前記ワイヤハーネス３をキャタピラ型外装材５（以下、外装材５と略称する）で外装し、前記シートレール２の側部に隣接した位置の車室床材Ｆの下部に固定する余長吸収ケース６内に挿通している。余長吸収ケース６は図２に示すように、倒Ｊ字形状として垂直配置し、上方に長尺な直線部６ａを位置させ、前端を湾曲部６ｂとし、下方に短尺な直線部６ｃを位置させている。下方の直線部６ｃの先端を余長吸収ケース６の出入口６ｉとし、フロアハーネス５０から分岐したワイヤハーネス３を出入口６ｉを通して余長吸収ケース６内をＪ形状に迂回させた状態で移動自在に挿通している。ワイヤハーネス３は余長吸収ケース６の上方の直線部６ａに前後直線方向に設けたスライダ嵌合溝６ｅ（図３に示す）に摺動自在に嵌合しているスライダ８を通して上方のスライドシート１側へ引き出し、シートハーネス５５とコネクタ接続している。
【００２６】
前記構成として、スライドシート１の移動にワイヤハーネス３が連動すると、該ワイヤハーネス３の移動にスライダ８および外装材５が連動し、該スライダ８を余長吸収ケース６のスライダ嵌合溝６ｅ内を移動させている。
【００２７】
前記余長吸収ケース６の出入口６ｉに、後述するように、外装材５とワイヤハーネス３とを別々の固定手段で固定している。よって、スライドシート１が前後移動するとシートハーネス５５と接続しているワイヤハーネス３も追従して前後移動し、該ワイヤハーネス３と連動してスライダ８が余長吸収ケース６のスライダ嵌合溝６ｅ内を前後方向に移動する。このスライダ８の移動により、外装材５で外装したワイヤハーネス３は余長吸収ケース６内でＪ形状の湾曲部を前後に移動させて追従させるものとしている。
【００２８】
前記倒Ｊ形状とした余長吸収ケース６は図３に示すように、比較的浅底の本体６０と外装材５で外装したワイヤハーネス３を挿通した後に本体６０に被せる蓋６１とからなる。本体６０はＪ形状とした底面６０ａの外周縁に沿って外周壁６０ｂを設け、内周縁に沿って内周壁６０ｃを設けている。蓋６１は前記出入口６ｉを囲む部分を除いて本体６０の外周壁６０ｂと内周壁６０ｃの突出端に当接させて閉鎖し、ロック結合して取り付けるものとしている。
【００２９】
余長吸収ケース６の出入口６ｉでは、本体６０の外周壁６０ｂの先端から薄肉ヒンジ６２を介して蓋６３を一体的に設け、該蓋６３の裏面に所要間隔をあけて２つの係止突起１０を突設している。かつ、蓋６３の先端にロック爪６３ｒを設け、該ロック爪６３ｒが挿入係止するロック枠６０ｒを内周壁６０ｃの外面に設けている。蓋６３を本体６０に被せてロック結合すると、その内部に挿通させる前記外装材５に設けられている穴１１に係止突起１０が差し込まれ、外装材５が余長吸収ケース６に固定されるようにしている。前記２つの係止突起１０は比較的短い棒状とし、外装材５の上面の穴１１に差し込まれた状態で、外装材５内に通すワイヤハーネス３の電線群の邪魔にならないようにしている。
【００３０】
さらに、出入口６ｉには、本体６０の外周側寄りにテープ巻き片１２を突設している。該テープ巻き片１２に外装材５の先端より引き出されるワイヤハーネス３を粘着テープ１５で巻き付け、ワイヤハーネス３を余長吸収ケース６に固定するようにしている。かつ、図３（Ｃ）に示すように、テープ巻き片１２は外装材５の肉厚ｔ１だけ本体６０の外周壁６０ｂの内面より段差をつけて突設している。これにより、外装材５から引き出されるワイヤハーネス３にテープ巻き片１２をぴったりと沿わせて巻き付けることが出来るようにしている。
【００３１】
なお、余長吸収ケース６の本体６０に全体の蓋６１を薄肉ヒンジを介して連結し、出入口６ｉの部分で蓋６１にスリットを入れて独立して開閉する蓋６３を設けてもよい。
【００３２】
外装材５は、図４（Ａ）に示す四角筒状のキャタピラ型としている。該外装材５は図４（Ｂ）に示す樹脂製の帯状に連続した長尺材からなる平板４０を折り曲げて組み立てている。平板４０には、長さ方向Ｘに延在する４本の折曲ライン４１、４２、４３、４４を幅方向Ｙの中間部に間隔をあけて設け、平板４０を幅方向に５個の辺Ｓ１〜Ｓ５に区画している。折曲ライン４１〜４４を直角に折り曲げ、幅方向の両側辺Ｓ１とＳ５を突き合わせて先端部分を重ねることで図４（Ａ）に示すように、四角筒状に組み立てている。
【００３３】
また、平板４０の幅方向の一方側の辺Ｓ１の側縁に係止突片４５を長さ方向Ｘに間隔をあけて突設している。平板４０の他方側の辺Ｓ５に係止突片４５を挿入係止する細長い係止穴４６を設けている。平板４０を折曲ライン４１〜４４に沿って折り曲げ、辺Ｓ１とＳ５の一部を重ねた状態で係止突片４５を係止穴４６に挿入係止することで、四角筒形状を保持できるようにしている。
【００３４】
平板４０には前記折曲ライン４１に近接した位置から折り曲げライン４２、４３を通り、折曲ライン４４に近接した位置まで幅方向Ｙの切込ライン４８を長さ方向Ｘに間隔をあけて設け、辺Ｓ２、Ｓ３、Ｓ４を分離している。さらに、切込ライン４８の中央部の辺Ｓ３の中央位置に直線を湾曲させた円弧状の切込４９を設け、長さ方向に隣接する一方側を円弧状に突出させ、他方を円弧状に窪ませ、凹凸嵌合部を設けている。
【００３５】
長さ方向に間隔をあけて設ける幅方向に設ける前記切込ライン４８の両端に亀裂が入らないように小穴からなる前記穴１１を設けている。これらの穴１１は折曲ライン４１、４４に近接した位置にあり、外装材５を四角筒状に組み立てた状態で上下面の折曲ライン４１、４４に沿って穴１１が位置する。この穴１１を前記係止突起１０が差し込まれる穴として利用している。従って、２つの係止突起１０を穴１１と同じ間隔をあけて設けている。
【００３６】
外装材５は予め折曲ライン４１〜４４を折り曲げる一方、係止突片４５は係止穴４６に挿入せずに開いた状態として、ワイヤハーネス３の電線群を折り曲げた外装材５の両側辺Ｓ１とＳ５の間の開口から挿入する。このワイヤハーネス３の電線群の挿入後に辺Ｓ１とＳ５を重ね、係止突片４５を係止穴４６に挿入係止し、ワイヤハーネス３の電線群を四角筒の中に挿入した状態で外装している。
外装材５は四角筒の３辺Ｓ２、Ｓ３、Ｓ４が切込ライン４８で長さ方向で分離され、重ねて係止した辺Ｓ１とＳ５が長さ方向で屈曲自在に連結された構成となり、かつ、分離された辺Ｓ３は、隣接する辺Ｓ３同士が円弧状切込で凹凸嵌合する状態となる。即ち、短尺な四角筒が屈曲自在に長さ方向に順次連結し、かつ、隣接する四角筒同士を凹凸嵌合させているため幅方向にずれない構成のキャタピラ型の外装材となる。
この四角筒形状としたキャタピラ型の外装材５を用い、余長吸収ケース６内でガタつき無く内嵌して、安定した姿勢で移動させることができるものとしている。
【００３７】
前記外装材５でワイヤハーネス３を外装して、余長吸収ケース６に取り付ける工程について図５を参照して説明する。
図５（Ａ）に示すように、余長吸収ケース６の本体６０内に、出入口６０ｉの蓋６３を開いた状態で、図５（Ｂ）に示すように、ワイヤハーネス３に外装した外装材５を通す。四角筒状の外装材５の底面を本体６０の底面に載せ、外装材５の前後面を本体６０の外周壁６０ｂ、内周壁６０ｃの内面に沿わせる。外装材５の先端５ｅを出入口６ｉに位置させ、該先端５ｅから引き出すワイヤハーネス３の電線群をテープ巻き片１２上に載せる。この状態で外装材５の上面に前記穴１１を位置させる。
【００３８】
図５（Ｃ）に示すように、テープ巻き片１２上のワイヤハーネス３の電線群に粘着テープ１５を巻き付けて、ワイヤハーネス３をテープ巻き片１２に固着する。
この状態で、蓋６３を回転させて本体６０の上面開口を閉鎖する動作で、図５（Ｂ）に矢印で示すように、係止突起１０が外装材５の上面の穴１１に差し込まれ、外装材５は余長吸収ケース６に固定される。
【００３９】
前記のようにワイヤハーネス３を外装材５で外装し、該外装材５を余長吸収ケース６に通したワイヤハーネス配索構造において、スライドシート１の前後移動に追従するワイヤハーネス３の動きを図６を参照して説明する。
【００４０】
余長吸収ケース６の出入口６ｉでワイヤハーネス３は粘着テープ１５で余長吸収ケース６のテープ巻き片１２に固着され、外装材５は余長吸収ケース６の蓋６３の係止突起１０が穴１１に差し込まれて固定される。該余長吸収ケース６はフロアに固定されるのに対して、外装材５およびワイヤハーネス３は余長吸収ケース６の出入口６ｉに固定されているだけで、他端の出入口にかけて摺動自在に余長吸収ケース６に通している。よって、外装材５は内部に挿通するワイヤハーネス３と共にスライドシート１の移動に追従して余長吸収ケース６内を移動する。即ち、余長吸収ケース６内のワイヤハーネス３の円弧状ターン部３ｔが余長吸収ケース６の湾曲部６ｂに対して近接および離反する方向に移動してスライドシート１の移動に追従する。
【００４１】
図６（Ａ）はスライドシート１が後退した状態を示し、外装材５で外装したワイヤハーネス３も後退し、余長吸収ケース６内で湾曲部６ｂからワイヤハーネス３の円弧状ターン部３ｔが後端した状態となってスライドシート１の移動に追従する。
図６（Ｂ）はスライドシート１が前進した状態を示し、余長吸収ケース６内でワイヤハーネス３の円弧状ターン部３ｔが湾曲部６ｂに近接し、スライドシート１の移動に追従する。
【００４２】
前記のように、スライドシート１の前後移動に応じて、余長吸収ケース６内でワイヤハーネス３が移動する際に、ワイヤハーネス３に外装した外装材５は余長吸収ケース６の外周壁６０ｂに沿って摺動し、その内部のワイヤハーネス３は出入口６ｉで外周壁寄りに突設したテープ巻き片１２に巻き付けて外周壁寄りに拘束している。その結果、ワイヤハーネス３の曲げＲを大きい状態で保持でき、ワイヤハーネスの屈曲性能を高めることができる。
【００４３】
図７および図８に第２実施形態を示す。
第２実施形態では、余長吸収ケース６の出入口６ｉの部分で外装材５を固定する係止突起を本体６０側から突設し、外装材５の上下に対向する穴１１（１１ｕと１１ｂ）に挿入固定するものである。
具体的には、図７（Ａ）に示すように、余長吸収ケース６の本体６０の底面６０ａの内周壁寄りの位置から１本の細長い丸棒状の係止突起７０を突設する一方、蓋６３の内面に係止突起７０の先端が嵌合する凹部７１を設けている。該棒状の係止突起７０は本体の底面６０ａと蓋６３との間の寸法と対応した長さとしている。
【００４４】
また、係止突起７０は外装材５の上下に対向する各１つの穴１１、即ち、上面の穴１１ｕと下面の穴１１ｂとに貫通して通すため、断面は穴１１ｕ、１１ｂの内径よりも小径としている。かつ、該係止突起７０の突出側先端７０ａを円弧形状にして前記凹部７１に嵌合させ、かつ、該突出側先端７０ａの外周に返り部７０ｂを突設している。該返り部７０ｂの直径は穴１１の直径より若干大きくし、外装材５の下面の穴１１ｂから上面の穴１１ｕに通した係止突起７０の返り部７０ｂを穴１１ｕの外周縁に係止できるようにしている。
【００４５】
前記余長吸収ケース６の出入口６ｉでは、本体６０の外周壁６０ｂと内周壁６０ｃの先端から互いに近接する方向に突出する外装材停止突起６０ｅ、６０ｆを設けている。かつ、本体６０の底面６０ａの先端からテープ巻き片１２の平板部１２ａを外周壁６０ｂ寄りに突設している。かつ、前記第１実施形態と同様に、平板部１２ａを底面６０ａよりの段状に突出させると共に平板部１２ａの外周側縁から立ち上げ部１２ｂを設け、テープ巻き片１２を断面略Ｌ形状としている。他の構成は前記第１実施形態と同様であるため、同様の符号を付して説明を省略する。
【００４６】
前記第２実施形態においても、ワイヤハーネス３を外装材５で外装した状態で余長吸収ケース６内に挿通し、外装材５の長さ方向の一端を外装材停止突起６０ｅ、６０ｆに突き当てる。本体６０の底面６０ａから突出する係止突起７０を外装材５の下面の穴１１ｂに挿入し、外装材５の内部を貫通させ、上面の穴１１ｕに挿入し、返り部７０ｂを穴１１ｕの周縁に係止する。
【００４７】
係止突起７０は外装材５内に上下貫通させるが、内周側の側面に沿った位置に貫通させるため、外装材５の内部に挿通しているワイヤハーネス３の電線群に殆ど干渉する事なく貫通させることができる。
このように、係止突起７０を貫通係止した外装材５の先端開口から引き出したワイヤハーネス３の電線群をテープ巻き片１２に載せるように引き出す。
【００４８】
前記Ｌ形状としたテープ巻き片１２の平板部１２ａ上に載せたワイヤハーネス３の電線群を粘着テープ１５で巻き付けて、ワイヤハーネス３をテープ巻き片１２に固定する。このテープ巻き作業時にワイヤハーネス３の電線群を引っ張って外装材５が図８（Ｄ）に示すように変形しても、外装材５に係止突起７０を貫通して係止しているため、係止突起７０が外装材５から外れることは無く、蓋６３を閉める前に仮置き固定できる。
【００４９】
前記のように、係止突起７０を外装材５の上下の穴１１ｕ、１１ｂに通して貫通係止した後に、蓋６３を本体６０に向けて回転させて閉じ操作する。該操作により、蓋６３の内面に設けた凹部７１に係止突起７０の突出側先端７０ａが嵌合し、係止突起７０は位置決めされた状態で、蓋６３と本体の底面６０ａの間に挟持固定される。
【００５０】
このように、外装材５を余長吸収ケース６に設けた係止突起７０により貫通固定しているため、スライドシート１の前後移動時にワイヤハーネス３に引張負荷が作用して外装材５が変形しても、係止突起７０は外装材５から外れる恐れはない。
【００５１】
図９（Ａ）（Ｂ）に第３実施形態を示す。
第３実施形態では、余長吸収ケース６をスライドシート１の側面に固定している。
余長吸収ケース６は第１実施形態と天地逆転して短尺な直線部６ｃを上方とし、長尺な直線部６ａを下方としている。ワイヤハーネス３と外装材５とは上端に位置する出入口６ｉで、第１実施形態と同様に粘着テープ１５を用いてワイヤハーネス３を固着し、蓋６３に設けた係止突起を外装材５の穴に差し込んで固定している。下端のスライダ嵌合溝６ｅからスライダ８を介してフロア側にワイヤハーネス３を引き出している。
第３実施形態の他の構成及び作用効果は第１実施形態と同様であるため説明を省略する。
【００５２】
本発明は前記実施形態に限定されず、余長吸収ケースをスライドシートの下面に固定してもよい。かつ、余長吸収ケースは前記Ｊ字形状に限定されず、Ｕ形状等でもよい。さらに、外装材は所定間隔をあけて前記係止突起が差し込まれる穴があると共に、キャタピラ型であれば、他の構造でもよい。
【符号の説明】
【００５３】
１  スライドシート
３  ワイヤハーネス
５  キャタピラ型外装材
６  余長吸収ケース
８  スライダ
１０、７０  係止突起
１１  穴
１２  テープ巻き片
１５  粘着テープ
６０  本体
６３  蓋
７１  凹部
【図１】
2015186988.tif 000003
【図２】
2015186988.tif 000004
【図３】
2015186988.tif 000005
【図４】
2015186988.tif 000006
【図５】
2015186988.tif 000007
【図６】
2015186988.tif 000008
【図７】
2015186988.tif 000009
【図８】
2015186988.tif 000010
【図９】
2015186988.tif 000011
【図１０】
2015186988.tif 000012
【図１１】
2015186988.tif 000013
【図１２】
2015186988.tif 000014